(57)【要約】      （修正有）【課題】従来よりも簡便に低コストで製造できると共に、複数枚をスタックして容易に携帯でき、且つ効率的な搬送や保管が可能な使い捨て用ゴーグル本体を提供する。【解決手段】一枚の透明プラスチックシートの一体成形品から成る使い捨て用ゴーグル本体であって、左右両目を連続して覆う一眼型レンズ形状の凸面部１１と、耳部または頭部へ掛止される装着具が凸面部の左右両端部に着脱可能に取り付けられる装着具取付け部１７とを備え、凸面部は、下部中央に形成された鼻突出用の切欠き部１４と切欠き部の両側下端から連続して装着時に両目下方の頬曲面に沿う略円弧状の左右一対の下辺部１６とを有し、切欠き部の左右両側で裏面側へ略山形に突出し、装着時に左右の鼻屋面に沿う側面をそれぞれ有する一対の凹部１５と、凸面部の上端から額側へ傾倒して延在し、装着時に両目上方の額曲面に沿う略円弧状の上辺部を有する傾斜面１２と、をさらに備え、ゴーグル本体同士が互いに重なり合って積層可能とした。【選択図】図１
0003230226.tif 000002
【実用新案登録請求の範囲】
【請求項１】
一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能であることを特徴とする使い捨て用ゴーグル本体。
【請求項２】
一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能であり、
前記装着具取付け部は、貫通孔を備えていることを特徴とする使い捨て用ゴーグル本体。
【請求項３】
一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能であり、
前記装着具取付け部は、前記装着具がワンタッチ機構である場合の装着治具が着脱可能に掛止可能であることを特徴とする使い捨て用ゴーグル本体。
【請求項４】
一枚の透明プラスチックシートの一体射出成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能であることを特徴とする使い捨て用ゴーグル本体。
【請求項５】
一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
透明プラスチックシートは、ポリプロピレン、ポリエチレン、ポリエチレンテレフタレート、ポリメチルペンテン、ポリスチレン、ポリカーボネート、ポリ塩化ビニルのうちのいずれか一種から成る成形品であり、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能であることを特徴とする使い捨て用ゴーグル本体。
【請求項６】
一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
周辺部を除く全体肉厚が０．３〜１．０ｍｍであり、
前記ゴーグル本体同士は、前記凸面部と前記一対の凹部と前記傾斜面とがそれぞれ積層状態で互いに重なり合ってスタッキング可能であることを特徴とする使い捨てゴーグル。
【請求項７】
一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能であり、
装着時に顔表面に沿う辺部は、全周にわたって厚み方向の断面形状が丸みを有するものであることを特徴とする使い捨て用ゴーグル本体。
【考案の詳細な説明】
【技術分野】
【０００１】
本考案は、低価格で効率的に製造および搬送が行えると共に、個人の使用における携帯、取扱いも簡便な使い捨て用のゴーグル本体に関するものである。
【背景技術】
【０００２】
現在、ＰＭ２．５と呼ばれる微小粒子状の大気汚染物質や花粉等のアレルゲン物質などの体内侵入の防御、またさらに病原体を含む飛沫の拡散を防ぐために、マスクが広く日常的に不可欠なものとして使用されているが、一方、これらの粒子や飛沫から目を保護することも望まれている。
【０００３】
目を保護するシールド製品としては、例えば、透明フィルム製レンズがリムの上枠から左右の耳掛けつるまで連続して形成されたフレームに交換可能にあるいは一体に取付けられた保護メガネがある。このような保護メガネも、頻繁に交換、持ち運びが容易であることが必要とされることから、軽量で低コストのものがほとんどである。しかしメガネという形態では目周囲の顔表面との間に隙間が生じるため、実質的なシールド効果は高くない。
【０００４】
したがって、良好なシールド効果を得るためには、外周縁が顔表面にフィットするゴーグル型が望ましい。ゴーグルは、主に、防護面となるレンズ部とレンズ部を囲む外側部分であるフレームとで構成され、フレームの左右両側に端部が取付けられたゴム製ベルト等から成るストラップによってゴーグルを頭部側から顔面に押しつけて装着させる。通常、フレームの湾曲形状によって、またさらにフレームの内側に接着されたフォームパッドによって、ゴーグルと顔表面との隙間が埋められる構成となっている。
【０００５】
このようなゴーグルに関しても、上記の粒子をシールドするために、より簡便に携帯、装着できる使い捨て用のものが既に開発されている。例えば、メガネ型に裁断したプラスチックフィルムの周縁にフレキシブルなクッション性材を接合し、両側端部にゴムひも等の装着用具が取付けられた使い捨てゴーグルがある（例えば特許文献１、２を参照。）。
【０００６】
これらの使い捨てゴーグルは、防護面部をプラスチックフィルムやシートで平板状に形成するため、通常のゴーグルに比べて大量製造が容易で軽量且つ低コストでありながら、装着時にはその薄さによって顔の曲面に合わせて曲げられると同時に弾性体等のクッション材によって周縁が顔表面へ良好に密着でき、優れた防護効果を発揮するものである。
【先行技術文献】
【特許文献】
【０００７】
【特許文献１】実全平０３−７５７２４号公報
【特許文献２】実全平０３−７３１２７号公報
【考案の概要】
【考案が解決しようとする課題】
【０００８】
しかしながら、上記のような従来の使い捨てゴーグルは、防護面部が平板状のプラスチックフィルムやシートで形成されているため、顔表面との間の密着性を得るために、弾性体等のクッション材を周縁に接合する必要があったため、防護面部の形成工程とは別にクッション材の形成工程と接合工程とが必要であり、その分、製造工程が煩雑でコストがかかる。しかも、複数枚をまとめようとすると、クッション材によって互いにピッタリ重ねることが困難であり、嵩張って扱い難いため、頻繁に交換する使い捨て用として携帯するには不便であった。また、この嵩張りは、製品の搬送や保管等の流通における効率性を低下させる。
【０００９】
本考案の目的は、上記問題点に鑑み、従来よりも簡便に低コストで製造できると共に、複数枚をスタックして容易に携帯でき、且つ効率的な搬送や保管が可能な使い捨て用ゴーグル本体を提供することにある。
【課題を解決するための手段】
【００１０】
上記目的を達成するため、請求項１に記載の考案に係る使い捨て用ゴーグル本体は、一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能であることを特徴とする。
【００１１】
請求項２に記載の考案に係る使い捨て用ゴーグル本体は、一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能であり、
前記装着具取付け部は、貫通孔を備えていることを特徴とする。
【００１２】
請求項３に記載の考案に係る使い捨て用ゴーグル本体は、一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能であり、
前記装着具取付け部は、前記装着具がワンタッチ機構である場合の装着治具が着脱可能に掛止可能であることを特徴とする使い捨て用ゴーグル本体。
【００１３】
請求項４に記載の考案に係る使い捨て用ゴーグル本体は、一枚の透明プラスチックシートの一体射出成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能であることを特徴とする。
【００１４】
請求項５に記載の考案に係る使い捨て用ゴーグル本体は、一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
透明プラスチックシートは、ポリプロピレン、ポリエチレン、ポリエチレンテレフタレート、ポリメチルペンテン、ポリスチレン、ポリカーボネート、ポリ塩化ビニルのうちのいずれか一種から成る成形品であり、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能であることを特徴とする。
【００１５】
請求項６に記載の考案に係る使い捨て用ゴーグル本体は、一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
周辺部を除く全体肉厚が０．３〜１．０ｍｍであり、
前記ゴーグル本体同士は、前記凸面部と前記一対の凹部と前記傾斜面とがそれぞれ積層状態で互いに重なり合ってスタッキング可能であることを特徴とする。
【００１６】
請求項７に記載の考案に係る使い捨て用ゴーグル本体は、一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能であり、
装着時に顔表面に沿う辺部は、全周にわたって厚み方向の断面形状が丸みを有するものであることを特徴とする。
【考案の効果】
【００１７】
本考案の使い捨て用ゴーグル本体は、軽量でスタッキング可能な形状を有し、個人ユーザーの携帯、収納および流通における搬送、保管に簡便でありながら、良好なシールド効果が得られるという効果があり、従来よりも簡便に低コストで製造できる。
【図面の簡単な説明】
【００１８】
【図１】本考案の一実施例による使い捨てゴーグルを示す概略構成図であり、（ａ）は装着具の取付け前の状態の正面図、（ｂ）はゴーグル本体の平面図、（ｃ）はゴーグル本体の底面図、（ｄ）はゴーグル本体の側面図でスタック過程を示す模式図である。
【図２】図１の使い捨てゴーグルの概略斜視図であり、（ａ）は装着具として伸縮性ひも部材の輪を取付けた状態、（ｂ）は伸縮性ひも部材の輪を耳部に掛止した装着状態を示す模式図である。
【図３】図１と異なる変形例としての使い捨て用ゴーグル本体の装着具を取り付けた状態の概略斜視図である。
【図４】別の変形例としての使い捨て用ゴーグル本体の概略構成図であり、（ａ）は正面図、（ｂ）は（ａ）のＡ−Ａ断面図、（ｃ）は（ｂ）中の円Ｂで囲った上辺部の部分拡大図、（ｄ）（ｂ）中の円Ｃで囲った下辺部の部分拡大図である。
【考案を実施するための形態】
【００１９】
本考案による使い捨て用ゴーグル本体は、一枚の透明プラスチックシートの一体成形品から成り、左右両目を連続して覆うための一眼型レンズ形状の凸面部と、耳部または頭部へ掛止される装着具が前記凸面部の左右両端部に着脱可能に取り付けられる装着具取付け部と、を備えた使い捨て用ゴーグル本体であって、
前記凸面部は、下部中央に形成された鼻突出用の切欠き部と、前記切欠き部の両側下端から連続し、装着時に鼻両側で両目下方の頬曲面に沿う略円弧状の左右一対の下辺部と、を有し、
前記切欠き部の左右両側で裏面側へ略山形に突出して設けられ、装着時に左右の鼻屋面に沿う側面をそれぞれ有する一対の凹部と、
前記凸面部の上端から額側へ傾倒して延在し、装着時に両目上方の額曲面に沿う略円弧状の上辺部を有する傾斜面と、をさらに備え、
前記ゴーグル本体同士は、前記凸面部と前記一対の凹部と前記傾斜面とがそれぞれ積層状態で互いに重なり合ってスタッキング可能なものである。
【００２０】
以上の本考案によるゴーグル本体においては、主に一眼型レンズ形状の凸面部と、その上に延在する傾斜面と、下部中央の切欠き部の左右両側で裏面側へ略山形に突出して左右鼻屋面に沿う側面をそれぞれ有する一対の凹部とで立体形状として構成され、これらの凹凸面がゴーグル本体同士で積層状態に重なるスタッキング可能な透明プラスチックシートから成る一体成形品である。このため、個人ユーザーにとっては複数枚をスタッキング状態でまとめて携帯することも、また収納にも簡便であり、頻繁に交換して日常的に使用する使い捨てゴーグルとして実用的に優れたものである。しかも、スタッキング状態で大量梱包も可能であるため、流通における搬送、保管も効率的に実施できる。
【００２１】
また、このような本考案のゴーグル本体は、上記立体形状に加えて、薄いプラスチックシートという形態で得られるわずかな可撓性によって、外周辺が顔表面の曲面にフィットするため、従来のようなフレームやクッション部材を周縁に設けることなく軽量でスタッキング可能な構成でありながらも、ゴーグルとして良好なシールド効果が得られる。
【００２２】
具体的には、凸面部の左右両端部で装着具取付け部に取付けられて耳部や頭部への掛止状態を得る装着具によるゴーグル本体の顔面側への付勢によって、ゴーグル本体はわずかに撓み変形しながら、上部の傾斜面の略円弧状の上辺部が両目上方の額曲面に押し付けられると共に、切欠き部の両側の、いわゆる鼻あてパッドに相当する位置に裏面側に略山形に突出して形成された一対の凹部が、その鼻屋部分に面する側面で鼻の両側面に押し付けられて鼻の凹凸に沿い、また同時に、左右両側の略円弧状の一対の下辺部が鼻両側で両目下方の頬の膨らみに押しつけられるため、ゴーグル本体は全体的に顔表面にフィットされる。
【００２３】
したがって、本考案における装着取付け部に取り付けられる装着具は、装着時にゴーグル本体を顔面側へ付勢しながら耳部や頭部に掛止できるものであれば良く、また着脱可能であるため、使い捨てのものでも繰り返し使用可能なもののいずれでも良い。ただし、軽量で低コストであり、着脱か簡便な構成のものが望ましい。
【００２４】
例えば、マスクの耳ひもに使われているようなゴムひもなど、伸縮性のあるひも状部材から成るものが好適なものとして挙げられる。この場合、広く市販されている既存のものから適宜選択して利用できる。例えば、天然ゴム繊維や、ポリウレタン等の合成樹脂の弾性繊維を用いて丸打ちあるいは平打ちして加工したゴムひもとして、丸ゴム、平ゴム、織りゴム、編みゴム等様々な形態のものがある。
【００２５】
装着具がひも状部材であり、耳掛け部とする場合には、３０ｃｍ程度の２本のひも状部材を用意し、２つの輪部材にして凸面部の左右両端部で装着具取付け部に一つずつ結び付ければ済む。また頭部に対して後頭部で掛止するストラップとする場合には、６０ｃｍ程度の長いひも状部材を１本用意し、両端を結束して一つの大きな一つの輪部材を形成して、その対向する輪部分をそれぞれ左右両側の装着具取付け部に結び付ければ済む。
【００２６】
このような伸縮性ひも状部材から成る装着具は、両端部同士を結束して輪を形成して輪状部材とし、ゴーグル本体側の装着具取付け部としては、輪状部材の輪部分を結び付けるための貫通孔を備えていれば良い。さらにその上下にひも状部材を掛止できるスリット部が形成されていれば、ゴーグル本体への係合状態および耳部または頭部への掛止装着状態がより安定的となる。伸縮性ひも状部材は、ゴーグル本体とは別体の付属品とし、使用直前に貫通孔に通してゴーグル本体の両端部に結び付けて取付けることができる。また、繰り返し使用する場合には、使用済みのゴーグル本体を捨てる前に取り外し、次に使用するゴーグル本体に取付け直すことができる。
【００２７】
また、本考案では、以上のような伸縮性ひも状部材から成る装着具に限らず、少なくとも装着部が塑性部材から成る治具として、凸面部の左右両端部に形成された貫通孔や掛止片等に、該治具が着脱可能に掛止されるワンタッチ機構とした構成でも良い。ワンタッチ機構としては、できるだけシンプルな構成が望まれ、例えば、挟み込み式のワンタッチクリップ機構や、貫通孔を通してスナップ止めするスナップボタン機構等が利用できる。
【００２８】
本考案における上記の立体形状を有するゴーグル本体は、成形型を用いた射出成形品として大量製造することによって低価格のものが提供できる。
【００２９】
またゴーグル本体を構成する透明プラスチックシートの素材としては、低コストで成形し易いと共に、薄い成形品としてもある程度の強度と可撓性が得られるものが好ましく、例えば、ポリプロピレン、ポリエチレン、ポリエチレンテレフタレート、ポリメチルペンテン、ポリスチレン、ポリカーボネート、ポリ塩化ビニルが挙げられる。
【００３０】
ゴーグル本体の周辺部を除く全体肉厚は、軽量性と顔表面への適度な可撓性によるフィット性とスタッキング性の観点から、０．３〜１．０ｍｍの範囲が望ましい。即ち、この下限より薄いとゴーグル本体が撓みすぎて、装着中に変形し易くシールド効果の維持が難しくなる。また、この上限を超えて厚くなると、硬すぎて顔表面にフィットするための可撓性が得られ難くなり、顔面から縁が浮いて隙間が生じてシールド効果が低減する恐れがある。また、スタッキング状態での厚みが大きくなり、携帯し難くなるだけでなく、多量にスタックした状態での梱包物として搬送、保管する際に効率性が損なわれる恐れもある。なお、周辺部は、その断面形状によって、１．０ｍｍを越える肉厚となり得る。
【００３１】
装着時に顔表面に沿う辺部は、皮膚に対して当たりが柔らかいことが望ましい。そこで、全周にわたって辺部の厚み方向での断面形状を丸みを有するものとして、皮膚に接する辺部に角部を持たせないことで、辺部が押し付けられた状態での皮膚への刺激を抑えることができる。この場合、辺部の断面形状が膨らみを持たせた丸みであると、厚みが１．０ｍｍを越えることもある。
【実施例】
【００３２】
本考案の一実施例としての使い捨てゴーグル１を図１および図２に示す。図１の（ａ）は伸縮性ひも部材取付け前のゴーグル本体の概略正面図、（ｂ）は平面図、（ｃ）は底面図、（ｄ）は側面図でスタック過程を示す模式図である。図２の（ａ）は装着具として伸縮性ひも部材を取付けた状態の斜視図、（ｂ）は伸縮性ひも部材を耳部に掛止した装着状態を示す斜視図である。
【００３３】
本実施例による使い捨てゴーグル１は、透明ポリプロピレンの射出成形品として、厚み０．５ｍｍの透明プラスチックシートの一体成形品から成るゴーグル本体１０と、ゴーグル本体１０の左右両端部に着脱可能に取付けられる装着具として耳掛け用の２本のポリウレタン製の伸縮性ひも部材２０とで構成されるものである。
【００３４】
ゴーグル本体１０は、下部中央に鼻突出用の切欠き部１４が形成された一眼型レンズ形状の凸面部１１と、凸面部１１の上端から額側へ傾倒して延在する傾斜面１２と、切欠き部１４の左右両側に設けられた一対の凹部１５とで立体形状に構成されている。
【００３５】
傾斜面１２は、上辺部１３が装着時に額曲面に沿うように略円弧状となっており、また凸面部１１の切欠き部１４の下端両側から続く左右一対の下辺部１６は、装着時に両目下方の頬曲面に沿うように略円弧状となっている。また、一対の凹部１５は、対向する側面１５ｓがそれぞれ鼻の両側の鼻屋面に沿うような山形で裏面側に突出している。
【００３６】
このような立体形状を構成するゴーグル本体１０の凹凸面は、図１の（ｄ）に示すように同一部材同士で積層状態に重なることができる形状である。特に一対の凹部１５が裏面側に先細の略山形で突出しており、スタッキングが容易な形状となっている。
【００３７】
本実施例においては、ゴーグル本体１０の全体肉厚を０．５ｍｍとして、５０枚スタックしても３ｃｍ程度に収めることができる。したがって、使い捨てゴーグルの製品として、箱詰めで流通しやすく、また、個人ユーザーは複数枚をまとめて携帯するのも、自宅等に収納しておくにも嵩張らず、扱いやすい。
【００３８】
装着具としての伸縮性ひも２０は、繰り返し使用可能として、例えば箱詰め製品に複数本を付属させておくことができる。例えば、耳部への掛止用として１本３０ｃｍ程度の長さのものを２本一組とし、頭部への掛止ストラップとしては、６０ｃｍ程度の長さのものの一本使用という形態で用意しておけば良い。本実施例では、耳掛け用として３０ｃｍのポリウレタン製の伸縮性ひも部材２０を２本一組で付属させたものとした。
【００３９】
また、本実施例においては、装着具を取付ける装着具取付け部１７として、凸面部１１の左右両端部に略Ｄ字型の貫通孔１８が形成されている。またその上下には、伸縮性ひも状部材２０を掛止するための掛止スリット（１９Ｘ，１９Ｙ）も形成されている。
【００４０】
したがって、本実施例では、装着前に、まずそれぞれ伸縮性ひも部材２０の両部を結束して輪状にする。そして、伸縮性ひも部材２０の一方の輪部分を貫通孔１８に通してから対向する輪部分を貫通孔１８から出た前記一方の輪部分にくぐらせて引っ張ることによって、図２（ａ）に示すように、簡単に伸縮性ひも部材２０を凸面部１１の端部に結び付けることができる。
【００４１】
このとき、貫通孔１８の上下で伸縮性ひも部材２０の一方の輪部分の２箇所を掛止スリット（１９Ｘ，１９Ｙ）に差し込んで掛止することによって、伸縮性ひも部材２０の引っ張り力は、凸面部の左右両側の上下方向にわたるため、ゴーグル本体１０をより安定して顔表面に押し付けるように付勢できる。
【００４２】
左右両側に輪状の伸縮性ひも部材２０を結び付けた後、図２（ｂ）に示すように、切欠き部１４を鼻の上に乗せて輪状の一対の伸縮性ひも部材２０を伸ばしながら耳部に掛けると、その収縮性によって凸面部１１が左右両側端部で引っ張られて、両側側辺がこめかみ表面に押し付けられながらゴーグル本体１０全体が顔表面に向けて付勢される。
【００４３】
この時、ゴーグル本体１０は、わずかに撓みながら略円弧状の上辺部１３が両目上方の額曲面に押し付けられると共に、鼻の両側で一対の凹部１５の対向する側面１５ｓが対面する鼻屋面に押し付けられると同時に略円弧状の左右一つの下辺部１６が、頬の上部膨らみに押し付けられる。よって、本実施例では、従来のゴーグルのようなフレームやクッション材等を周縁に設けていなくても、ゴーグル本体１０は全周にわたって顔表面にフィットすることができ、良好に両目を覆ったシールド状態が得られる。
【００４４】
なお、以上の実施例においては、装着具取付け部１７としての貫通孔１８の上下に掛止スリット（１９Ｘ，１９Ｙ）を形成した場合を示したが、例えば、図３に示すように、ゴーグル本体３０が、切欠き部３４および頬曲面に沿う左右一対の下辺部３６を有する凸面部３１、額曲面に沿う上辺部３３を有する傾斜面３２、および一対の凹部３５を備えた基本的な立体形状は共通するとして、装着具取付け部３７が貫通孔３８のみから成る構成としてもよい。この場合、伸縮性ひも部材２０の取付けには十分であり、また外形状がよりシンプルになるため、成形型もそれを用いた製造工程もより簡便となる。
【００４５】
さらに図４に示すように、全周にわたる辺部を、厚み方向の断面形状が丸みを有する形態としたゴーグル本体４０としても良い。ここでは、例えば、図４（ｂ）（ｃ）に示すように、傾斜面４２の上辺部４３を、裏側から角部稜線をＲ面取りしたような丸み形状とした。また図４（ｂ）（ｄ）の断面図に示すように、凸面部４１の切欠き部４４の両側の下辺部４６は、厚み方向の断面形状が液滴のような膨らみを持った丸みを有している。このゴーグル本体４０は、丸みを持つ周辺部を除いて全体肉厚が０．５ｍｍであり、下辺部４６の丸みの膨らみ部分は最大肉厚で約１．２ｍｍである。これらのような丸みを全周にわたって形成することで、肌への当たりが柔らかくなり、顔表面に押し付けられた際の刺激が小さくて済むため、特に肌が敏感な個人ユーザーにとって、安心して装着できる製品となる。
【００４６】
なお、本考案の使い捨てゴーグル本体によれば、その周辺部等の細かい形状の変更は、成形型の変更によって容易に行える。また、本考案のゴーグル本体は、装着具としてゴーグル本体に取付けられるものであれば様々なものが広く使用可能であり、選択の自由度が大きい。
【産業上の利用可能性】
【００４７】
本考案の使い捨て用ゴーグル本体は、粉塵や泥除け、また防煙用や感染予防用にも使用でき、様々な作業現場において広く簡易的に適用できる。
【符号の説明】
【００４８】
１：使い捨てゴーグル
１０，３０，４０：ゴーグル本体
１１，３１，４１：凸面部
１２，３２，４２：傾斜面
１３，３３，４３：上辺部
１４，３４，４４：切欠き部
１５，３５、４５：一対の凹部
１５ｓ，３５ｓ，４５ｓ：一対の凹部の対向側面
１６，３６，４６：下辺部
１７，３７：装着具取付け部
１８，３８：貫通孔
１９Ｘ，１９Ｙ：掛止スリット
２０：伸縮性ひも部材
【図１】
0003230226.tif 000003
【図２】
0003230226.tif 000004
【図３】
0003230226.tif 000005
【図４】
0003230226.tif 000006